(57)【要約】【課題】親機および無線子機の構成を複雑化させることなく、親機に対する無線子機の載置状態を主装置で把握できるようにする。【解決手段】親機３０の親機制御部３９は、載置検出部３８で無線子機４０の載置を検出した場合、主装置１０へ載置あり検出を通知するとともに、無線子機４０からのオンフック検出の通知に応じて主装置１０へ子機オンフックを通知する。主装置１０の制御部１５は、親機３０からの載置あり検出通知および子機オンフック通知を受信し、これら通知の通知元を比較し、その一致／不一致に応じて無線子機４０が対となる親機３０へ載置されているかどうかを判断する。【選択図】        図１
2004253861.tif 000002
【特許請求の範囲】
【請求項１】
網からの電話回線に接続された主装置と、この主装置に内線伝送路を介して収容された複数の内線電話機とを備えるとともに、前記内線電話機として、前記主装置に前記内線伝送路を介して収容される親機と無線回線を介して対となる前記親機に接続される無線子機とからなり、前記親機に前記無線子機を載置する載置場所が設けられた無線電話機を複数有し、前記電話回線と前記内線電話機との間を主装置で交換接続する電話システムであって、
前記無線子機は、前記親機への当該無線子機の載置をオンフック状態として検出する状態検出部と、この状態検出部でのオンフック状態の検出に応じて前記親機へ無線回線を介してオンフック検出を通知する無線子機制御部とを備え、
前記親機は、当該親機への前記無線子機の載置有無を検出する載置検出部と、この載置検出部での載置あり検出に応じて前記主装置へ前記内線伝送路を介して載置あり検出を通知するとともに、前記無線回線を介した前記無線子機からの前記オンフック検出の通知に応じて前記主装置へ前記内線伝送路を介して子機オンフックを通知する親機制御部とを備え、
前記主装置は、前記内線伝送路を介して載置あり検出通知および子機オンフック通知を受信した際、これら通知の通知元を比較し、その一致／不一致に応じて前記無線子機が対となる親機へ載置されたかどうかを判断する制御部を備えることを特徴とする電話システム。
【請求項２】
請求項１に記載の電話システムにおいて、
前記主装置の制御部は、前記通知元を比較する際、所定時間差以内に受信された載置あり検出通知および子機オンフック通知の通知元を比較することを特徴とする電話システム。
【請求項３】
請求項１に記載の電話システムにおいて、
前記主装置の制御部は、前記通知元の不一致に応じて当該無線子機が誤載置されていると判断した場合、前記載置あり検出通知の通知元親機、前記子機オンフック通知の通知元親機、および前記子機オンフック通知に対応する無線子機のうちの少なくとも１つに、誤載置を通知することを特徴とする電話システム。
【請求項４】
請求項１に記載の電話システムにおいて、
前記主装置の制御部は、前記子機オンフック通知だけが受信され、その受信から所定時間差以内に前記載置あり検出通知が受信されない場合、前記子機オンフック通知の通知元親機と対となる無線子機が、いずれの親機にも載置されておらず放置状態にあると判断することを特徴とする電話システム。
【発明の詳細な説明】
【０００１】
【発明の属する技術分野】
本発明は、電話システムに関し、特に内線電話機として、親機と無線子機とからなる無線電話機を有する電話システムに関するものである。
【０００２】
【従来の技術】
網からの電話回線に接続された主装置と、この主装置に内線収容された複数の内線電話機とからなり、電話回線と内線電話機との間を主装置で交換接続するボタン電話装置などの電話システムでは、内線電話機の一部または全部に無線電話機を用いる場合がある（例えば、特許文献１など参照）。
この種の無線電話機は、親機とその親機の上に載置されるハンドセット型の無線子機とから構成されている。一般的な内線電話機では、当該内線電話機とハンドセットとがカールコードにより有線で接続されているが、この種の無線電話機では、親機と無線子機との間が、予め設定された当該無線電話機に固有のシステムＩＤを用いた無線回線で接続されている。親機は、有線の内線伝送路で主装置と接続されており、主装置とデータ通信を行うことにより、一般的な内線電話機と同様の電話機能を提供する。
【０００３】
この電話システムで用いられている無線電話機では、親機に無線子機を載置して充電などを行う充電台すなわち載置場所が設けられており、通常、未使用時には親機の載置場所に無線子機が載置されるものの、無線子機が親機と無線接続されているため、必要に応じて親機からある程度離れた場所へ無線子機を持ち運ぶことができる。したがって、例えば、無線子機での通話の内容に応じて利用者が他の部屋へ移動し、その移動先の部屋に設置されている他の親機に無線子機が載置されていない場合、終話に応じてその無線子機を移動先の親機上へ誤って載置する場合もある。
【０００４】
このような無線子機の誤載置が発生した場合、電話システムの主装置は、各無線子機が対となる親機に載置されていることを前提として制御しているため、次のような不具合が生ずる。
例えば、図８では、親機Ａおよび無線子機Ａからなる無線電話機Ａと、親機Ｂおよび無線子機Ｂからなる無線電話機Ｂとが主装置に接続されており、無線子機Ａが親機Ｂ上に誤載置されているものとする（ステップ２００）。
この状態で網側から無線電話機Ｂに対する個別着信があった場合（ステップ２０１）、主装置は無線電話機Ｂに対応する親機Ｂへ着信を通知し（ステップ２０２）、これに応じて親機Ｂで着信表示が行われる（ステップ２０３）。
【０００５】
ここで、利用者が、親機Ｂへの着信に応答するため、親機Ｂのハンドセット、すなわち親機Ｂ上に誤載置されている無線子機Ａを取り上げた場合（ステップ２１０）、その無線子機Ａがオフフックを検出し（ステップ２１１）、元の親機Ａとの無線回線を介して親機Ａへオフフックを通知する（ステップ２１２）。
これに応じて、親機Ａでは、無線子機Ａのオフフックを主装置へ通知し（ステップ２１３）、この通知に応じて、主装置は、無線電話機Ａには着信がないことから、無線子機Ａでのオフフックを発信要求と判断し、いずれか空き状態の電話回線を捕捉する（ステップ２１４）。なお、空き状態の電話回線がない場合、あるいは電話回線が１つの場合、主装置から親機Ａを介して無線子機Ａへビジートーンが通知される。
【０００６】
したがって、利用者が、親機Ｂへの着信へ応答しようとして、親機Ｂのハンドセットすなわち親機Ｂ上に誤載置されている無線子機を取り上げたにもかかわらず外線発信状態あるいはビジー状態となるともに、親機Ｂへの着信表示が継続されるため、利用者は状況を理解できず混乱してしまう。
このような状況を回避するには、元の親機とは異なる親機上へ無線子機を誤って載置したことを主装置で把握する必要がある。
【０００７】
従来、親機に対する無線子機の載置状態を検出する方法として、親機と当該親機上に載置された無線子機との間で、有線通信および無線通信を行うことにより、システムＩＤを用いて正常載置を検出する方法が提案されている（例えば、特許文献２など参照）。
これは、図９に示すように、無線子機が親機上に載置されて充電が開始された場合（ステップ３００）、親機から無線子機へ有線通信でシステムＩＤを送信し（ステップ３０１）、無線子機で親機からのシステムＩＤと当該無線子機のシステムＩＤとを比較する（ステップ３０２）。
【０００８】
そして、両システムＩＤが一致していた場合（ステップ３０２：ＹＥＳ）、無線子機から親機へ無線通信で、ＩＤの一致が確認できたことを示すＩＤ確認を通知する（ステップ３０３）。これにより、親機当該親機上に載置された無線子機との間で、システムＩＤの一致が確認され（ステップ３０４）、無線子機が元の親機に正常載置されていることが確認できる。また、無線子機からＩＤ確認が通知されなかった場合、無線子機が誤載置されていると判断できる。
したがって、このような載置検出方法を電話システムの無線電話機に適用し、親機での検出結果を主装置へ通知することにより、主装置で無線子機の誤載置状態を把握することができる。
【０００９】
なお、出願人は、本明細書に記載した先行技術文献情報で特定される先行技術文献以外には、本発明に関連する先行技術文献を出願時までに発見するには至らなかった。
【００１０】
【特許文献１】
特開２０００−３５０２４３号公報
【特許文献２】
特開２００１−０５３８７３号公報
【００１１】
【発明が解決しようとする課題】
しかしながら、このような従来の電話システムでは、上記のような無線子機の載置検出方法を採用する場合、親機および無線子機の構成が複雑化するという問題点があった。
例えば、上記のような無線子機の載置検出方法では、親機とその親機上に載置された無線子機との間でデータ通信を行うことによりシステムＩＤおよびＩＤ確認通知をやり取りして、両者のシステムＩＤの一致を確認するものとなっており、両者間でこれら情報をやり取りするためのデータ通信が必要となる。
【００１２】
この際、無線子機が誤載置されており、両者のシステムＩＤが異なる場合には、無線通信を用いることができないことから、無線通信とは別にこれら両者間で有線通信を行うものとなっている。
したがって、親機および無線子機に、有線通信を行うための回路構成が必要となるとともに、これら有線通信および無線通信のためのプログラムが必要となり、無線電話機の構成が複雑化する。
本発明はこのような課題を解決するためのものであり、親機および無線子機の構成を複雑化させることなく、親機に対する無線子機の誤載置状態を把握できる電話システムを提供することを目的としている。
【００１３】
【課題を解決するための手段】
このような目的を達成するために、本発明にかかる電話システムは、網からの電話回線に接続された主装置と、この主装置に内線伝送路を介して収容された複数の内線電話機とを備えるとともに、内線電話機として、主装置に内線伝送路を介して収容される親機と無線回線を介して対となる親機に接続される無線子機とからなり、親機に無線子機を載置する載置場所が設けられた無線電話機を複数有し、電話回線と内線電話機との間を主装置で交換接続する電話システムであって、無線子機は、親機への当該無線子機の載置をオンフック状態として検出する状態検出部と、この状態検出部でのオンフック状態の検出に応じて親機へ無線回線を介してオンフック検出を通知する無線子機制御部とを備え、親機は、当該親機への無線子機の載置有無を検出する載置検出部と、この載置検出部での載置あり検出に応じて主装置へ内線伝送路を介して載置あり検出を通知するとともに、無線回線を介した無線子機からのオンフック検出の通知に応じて主装置へ内線伝送路を介して子機オンフックを通知する親機制御部とを備え、主装置は、内線伝送路を介して載置あり検出通知および子機オンフック通知を受信した際、これら通知の通知元を比較し、その一致／不一致に応じて無線子機が対となる親機へ載置されたかどうかを判断する制御部を備えるものである。
【００１４】
主装置の制御部で、通知元を比較する際、所定時間差以内に受信された載置あり検出通知および子機オンフック通知の通知元を比較するようにしてもよい。
また、主装置の制御部で、通知元の不一致に応じて当該無線子機が誤載置されていると判断した場合、載置あり検出通知の通知元親機、子機オンフック通知の通知元親機、および子機オンフック通知に対応する無線子機のうちの少なくとも１つに、誤載置を通知するようにしてもよい。
さらに、主装置の制御部で、子機オンフック通知だけが受信され、その受信から所定時間差以内に載置あり検出通知が受信されない場合、子機オンフック通知の通知元親機と対となる無線子機が、いずれの親機にも載置されておらず放置状態にあると判断するようにしてもよい。
【００１５】
【発明の実施の形態】
次に、本発明の実施の形態について図面を参照して説明する。
図１は本発明の一実施の形態にかかる電話システムの構成を示すブロック図である。
この電話システムは、網からの１つ以上の電話回線１１に接続された主装置１０と、この主装置１０に内線収容された複数の無線電話機２０Ａ，２０Ｂ〜２０Ｎとから構成されており、主装置１０で、電話回線１１と無線電話機２０Ａ，２０Ｂ〜２０Ｎのいずれかの間における、例えば音声通話やデータ通信などの呼を交換接続する。
【００１６】
無線電話機２０Ａは、主装置１０と内線伝送路１７を介して接続された親機３０Ａと、この親機３０Ａと無線回線を介して接続されるハンドセット型の無線子機４０Ａとの対から構成されている。この親機３０には、無線子機４０Ａを載置して充電などを行う充電台すなわち載置場所が設けられており、通常、未使用時には親機の載置場所に無線子機が載置される。
無線電話機２０Ａでは、予め設定された当該無線電話機２０Ａに固有のシステムＩＤを用いて親機３０Ａと無線子機４０Ａとの間で無線通信が行われる。また、無線電話機２０Ｂ〜２０Ｎの構成は、無線電話機２０Ａと同様であり、それぞれ親機３０Ｂ〜３０Ｎと無線子機４０Ｂ〜４０Ｎとの対から構成されている。
本発明では、各無線電話機２０Ａ〜２０Ｎからの通知に基づき、主装置１０で各無線電話機２０Ａ〜２０Ｎにおける無線子機の載置状態を検出するものである。
【００１７】
主装置１０には、電話回線１１を終端制御する外線インターフェース部（以下、外線Ｉ／Ｆ部という）１２、有線の内線伝送路１７を介して無線電話機２０Ａ〜２０Ｎとデータ伝送を行う内線インターフェース部（以下、内線Ｉ／Ｆ部という）１３、これら外線Ｉ／Ｆ部１２と内線Ｉ／Ｆ部１３との間を交換接続するスイッチ１４、主装置１０の各部を制御して、電話回線１１と各無線電話機２０Ａ〜２０Ｎの呼制御を行う制御部１５、および制御部１５での制御に必要な情報、例えば無線子機の載置状態を管理する無線子機管理情報１６Ａやプログラムを記憶する記憶部１６が設けられている。
特に、制御部１５は、ＣＰＵなどのマイクロプロセッサを有し、記憶部１６のプログラムを読み込んで実行することにより、上記ハードウェアと協働して各種機能手段を実現し、各種呼制御のほか当該電話システムの各種管理処理を行う。
【００１８】
図２に親機３０（３０Ａ，３０Ｂ〜３０Ｎ）の構成例を示す。親機３０には、内線インターフェース部（以下、内線Ｉ／Ｆ部という）３１、無線インターフェース部（以下、無線Ｉ／Ｆ部という）３２、音声処理部３３、表示部３４、キー入力部３５、記憶部３６、給電部３７、載置検出部３８、および親機制御部３９が設けられている。
内線Ｉ／Ｆ部３１は、内線伝送路１７を介して主装置１０とデータ伝送を行う回路部である。無線Ｉ／Ｆ部３２は、無線回線を介して無線子機４０（４０Ａ，４０Ｂ〜４０Ｎ）とデータ通信を行う回路部である。音声処理部３３は、親機３０で無線子機すなわちハンドセットを用いずに通話を行うためのスピーカホン機能や各種報知音の生成機能を有する回路部である。
【００１９】
表示部３４は、データ伝送で主装置１０から受け取った指示に基づきＬＥＤやＬＣＤを制御して各種表示を行う回路部である。キー入力部３５は、利用者によるキー操作を検出する回路部である。記憶部３６は、親機制御部３９での処理動作に用いる各種情報やプログラムを記憶するメモリである。給電部３７は、充電端子３７Ａを介して電気的に接続された無線子機４０の電池を充電するための電力を供給する回路部である。載置検出部３８は当該親機３０に対する無線子機４０の載置有無を検出する回路部である。親機制御部３９は、ＣＰＵなどのマイクロプロセッサを有し、記憶部３６のプログラムを読み込んで実行することにより、上記ハードウェアと協働して親機３０の各部を制御する機能部である。
【００２０】
図３に無線子機４０の構成例を示す。無線子機４０には、無線インターフェース部（以下、無線Ｉ／Ｆ部という）４１、音声処理部４２、電池４３、充電部４４、状態検出部４５、記憶部４６、表示部４７、キー入力部４８、および無線子機制御部４９が設けられている。
無線Ｉ／Ｆ部４１は、無線回線を介して親機３０とデータ通信を行う回路部である。音声処理部４２は、スピーカやマイク（図示せず）を用いた音声通話機能や各種報知音の生成機能を有する回路部である。電池４３は無線子機４０の各部で用いる動作電源を蓄電する回路部である。充電部４４は、充電端子４４Ａを介して親機３０から供給された電力を電池４３へ充電する回路部である。状態検出部４５は、当該無線子機４０のオンフック／オフフックの状態すなわち載置状態を検出する回路部である。
【００２１】
記憶部４６は、無線子機制御部４９での処理動作に用いる各種情報やプログラムを記憶するメモリである。表示部４７は、データ通信で親機３０から受け取った指示に基づきＬＥＤやＬＣＤを制御して各種表示を行う回路部である。キー入力部４８は、利用者によるキー操作を検出する回路部である。無線子機制御部４９は、ＣＰＵなどのマイクロプロセッサを有し、記憶部４６のプログラムを読み込んで実行することにより、上記ハードウェアと協働して無線子機４０の各部を制御する機能部である。
【００２２】
状態検出部４５については、公知技術として、親機３０に対する無線子機４０の載置により機械的に動作する例えばフックスイッチ、あるいは電気的に動作するフォトインタラプタなど、一般的なスイッチで実現される例もあり、載置検出部３８でも同様のスイッチを用いてもよい。
また、状態検出部４５として、親機３０と無線子機４０との間で充電動作に用いる充電端子３７Ａと充電端子４４Ａとの電気的接続を検出する例もあり、載置検出部３８でも同様に電気的接続を検出するようにしてもよい。
【００２３】
この場合、充電端子３７Ａと充電端子４４Ａとの電気的接続により変化する電気量、例えば電流値や電圧値を、給電部３７や充電部４４から取り込み、その変化に応じて、親機３０に対する無線子機４０の載置有無を検出してもよい。
なお、無線子機４０の電池４３が満充電状態となった場合、親機３０から無線子機４０に対する充電電力はゼロとなる。したがって、例えば充電端子３７Ａ，４４Ａ間に常時所定値以上の電流を流しておく、あるいは所定の電位を印加しておくことにより、満充電状態であっても充電端子３７Ａと充電端子４４Ａとの電気的接続の有無を検出してもよい。
【００２４】
図４は、無線子機管理情報１６Ａの説明図であり、図４（ａ）は、無線子機管理情報の構成例であり、図４（ｂ）は無線子機の誤載置例である。
親機３０の載置検出部３８で検出された載置状態を示す載置情報は、その変化に応じて親機制御部３９へ出力され、ここからデータ伝送により主装置１０の制御部１５へ通知される。また、無線子機４０の状態検出部４５で検出されたオンフック／オフフック状態で示される載置情報は、その変化に応じて無線子機制御部４９へ出力され、ここから無線通信により親機３０の親機制御部３９へ通知され、上記と同様にして主装置１０の制御部１５へ通知される。
【００２５】
主装置１０の制御部１５では、親機３０および無線子機４０から通知された載置情報の通知元を比較する。そして、その通知元となる親機３０および無線子機４０の組み合わせにより、当該無線子機４０がどの親機３０に載置されているかを判断し、その対応関係を無線子機管理情報１６Ａで管理する。
この際、親機３０および無線子機４０から通知された載置情報は、その載置状態の変化に応じて主装置１０へ通知されるため、無線子機４０を親機３０へ載置した場合、親機３０および無線子機４０からほぼ等しいタイミングで制御部１５へ届く。したがって、制御部１５では、いずれか一方の載置情報と、その一方の載置情報が届いた時点から所定時間差以内に届いた他方の載置情報とを組として比較する。これにより、他の載置状態の組と区別できる。なお、この所定時間差は、両通知の到着時間差を許容する値として当該電話システムごとに設定すればよい。
【００２６】
また、載置情報の通知元を判断するため、その情報に通知元を示す識別情報を格納しておいてもよい。また、各無線電話機２０が、内線伝送路１７を介して主装置１０の内線Ｉ／Ｆ部１３と１対１に接続されていることを利用して、載置情報を受信した内線Ｉ／Ｆ部１３のポート位置に基づき、どの無線電話機２０からのものか判断してもよい。
【００２７】
各親機３０および無線子機４０には、予め個別の識別情報が付与されており、図４（ａ）の例では、各無線子機識別情報ごとに親機識別情報が対応付けて管理されている。
例えば、図４（ｂ）のように、無線子機４０Ａが元の親機３０Ａとは異なる親機３０Ｂ上に誤載置されている場合、図４（ａ）の無線子機管理情報１６Ａでは、無線子機４０Ａに対応する親機識別情報として「３０Ｂ」が登録される。また、この例では無線子機４０Ｂがずれの親機３０にも載置されていない放置状態にあることから、無線子機４０Ｂに対応する親機識別情報として「放置」が登録される。
【００２８】
次に、図５を参照して、本実施の形態にかかる電話システムの動作について、無線子機が正常載置される場合を例として説明する。図５は本実施の形態にかかる電話システムの動作（正常載置）を示すシーケンス図である。
まず、利用者が、無線子機４０Ａと予め対として設定されている親機３０Ａに、無線子機４０Ａを正常載置した場合（ステップ１００）、親機３０Ａの親機制御部３９は、載置検出部３８からの出力に基づき任意の無線子機が載置されたことを検出し（ステップ１０１）、内線Ｉ／Ｆ部３１から内線伝送路１７を介して主装置１０の内線Ｉ／Ｆ部１３とデータ伝送を行うことにより、載置ありの検出を通知する（ステップ１０２）。
【００２９】
一方、無線子機４０Ａの無線子機制御部４９では、状態検出部４５からの出力に基づき任意の無線子機が載置されたことを検出し（ステップ１０３）、無線Ｉ／Ｆ部４１から無線回線を介して親機３０Ａの無線Ｉ／Ｆ部３２と無線通信を行うことにより、載置ありの検出をオンフックと見なして通知する（ステップ１０４）。
この無線子機４０Ａからのオンフック通知に応じて、親機３０Ａの親機制御部３９では、前述の載置あり検出の通知と同様にして、その子機オンフックを主装置１０へ通知する（ステップ１０５）。
【００３０】
主装置１０の制御部１５では、内線Ｉ／Ｆ部１３を介して、親機３０Ａからの載置あり検出通知および子機オンフック通知をそれぞれ受信し、これら通知の通知元を確認する（ステップ１０６）。
ここでは、これら通知を受信した内線伝送路１７の内線Ｉ／Ｆ部１３での収容位置に基づき、それぞれの通知の通知元を判定する。この場合には、いずれの通知についてもその通知元が親機３０Ａであると判定される。
【００３１】
そして、これら通知の通知元が一致するかどうか判断する（ステップ１０７）。この例では、通知元が一致していることから（ステップ１０７：ＹＥＳ）、無線子機４０Ａが対となる親機３０Ａへ正常載置されたと判断する（ステップ１０８）。なお、通知元が不一致の場合には（ステップ１０７：ＮＯ）、無線子機４０Ａが親機３０Ａとは異なる他の親機に誤載置されたと判断する（ステップ１０９）。
また、制御部１５は、これら通知元に基づき、当該無線子機４０Ａの識別情報に対応付けて、その無線子機４０Ａが載置された親機３０Ａの識別情報を、記憶部１６の無線子機管理情報１６Ａへ登録する（ステップ１１０）。この場合、親機識別情報は、載置あり検出通知の通知元親機の識別情報を用い、無線子機識別情報は、その子機オンフック通知の通知元親機と対となる無線子機の識別情報を用いればよい。
【００３２】
このように、親機に、無線子機の載置有無を検出する載置検出部を設け、この載置検出部での載置ありの検出に応じてその載置ありを当該親機から主装置へ通知し、主装置では親機からの載置あり検出通知および無線子機の子機オンフック通知の通知元を比較し、その比較結果に基づき無線子機の親機に対する載置状態を判断するようにしたので、従来のように親機と無線子機との間でシステムＩＤを有線でデータ通信する必要がなくなり、従来と比較して親機および無線子機の構成を複雑化させることもない。したがって、既存の親機に載置検出部を設けるとともに、既存の親機、無線子機および主装置のプログラムを変更するという若干の変更だけで、親機に対する無線子機の正常載置／誤載置を主装置で把握できる。
【００３３】
また、主装置の制御部では、通知元を比較する際、所定時間差以内で続けて受信された載置あり検出通知および子機オンフック通知の通知元を比較するようにしたので、同一無線子機の載置動作に起因する載置あり検出通知および子機オンフック通知を、他の無線子機の載置動作のものと容易に識別できる。
【００３４】
次に、図６を参照して、本実施の形態にかかる電話システムの動作について、無線子機が誤載置される場合を例として説明する。図６は本実施の形態にかかる電話システムの動作（誤載置）を示すシーケンス図である。
まず、利用者が、無線子機４０Ａと予め対として設定されている親機３０Ａとは異なる親機３０Ｂに、無線子機４０Ａを誤載置した場合（ステップ１２０）、親機３０Ｂの親機制御部３９は、載置検出部３８からの出力に基づき任意の無線子機が載置されたことを検出し（ステップ１２１）、内線Ｉ／Ｆ部３１から内線伝送路１７を介して主装置１０の内線Ｉ／Ｆ部１３とデータ伝送を行うことにより、載置ありの検出を通知する（ステップ１２２）。
【００３５】
一方、無線子機４０Ａの無線子機制御部４９では、状態検出部４５からの出力に基づき任意の無線子機が載置されたことを検出し（ステップ１２３）、無線Ｉ／Ｆ部４１から無線回線を介して親機３０Ａの無線Ｉ／Ｆ部３２と無線通信を行うことにより、載置ありの検出をオンフックと見なして通知する（ステップ１２４）。
この無線子機４０Ａからのオンフック通知に応じて、親機３０Ａの親機制御部３９では、前述の載置あり検出の通知と同様にして、その子機オンフックを主装置１０へ通知する（ステップ１２５）。
【００３６】
これ以降、前述した図５の正常載置と同様に、主装置１０の制御部１５で、これら通知の通知元を確認し（ステップ１２６）、これら通知の通知元が一致するかどうか判断する（ステップ１２７）。
この場合には、載置あり検出の通知元が親機３０Ｂであり、子機オフフックの通知元が親機３０Ａであることから、これら通知元が不一致となり（ステップ１２７：ＮＯ）、無線子機４０Ａが親機３０Ａとは異なる他の親機に誤載置されたと判断する（ステップ１２９）。
【００３７】
そして、制御部１５は、これら通知元に基づき、当該無線子機４０Ａの識別情報に対応付けて、その無線子機４０Ａが誤載置された親機３０Ｂの識別情報を、記憶部１６の無線子機管理情報１６Ａへ登録する（ステップ１３０）。
また、制御部１５は、誤載置の判断に応じて、内線Ｉ／Ｆ部１３から内線伝送路１７を介して、載置あり検出通知の通知元となる親機３０Ｂ、子機オフフック通知の通知元となる親機３０Ａ、および子機オフフック通知に対応する無線子機のうちの少なくとも１つに、誤載置を通知する。
【００３８】
ここでは、載置あり検出通知の通知元となる親機３０Ｂに対して、誤載置が通知される（ステップ１３１）。また、子機オフフック通知の通知元となる親機３０Ａに対して誤載置が通知され（ステップ１３２）、その親機３０Ａから無線子機４０Ａに対してさらに誤載置が通知される（ステップ１３３）。
【００３９】
この際、誤載置とともに無線子機４０Ａの移動元／移動先を示す情報を通知してもよい。例えば、親機３０Ｂの親機制御部３９では、主装置１０側から内線Ｉ／Ｆ部３１を介して移動元情報を含む誤載置通知を受信し、ＬＣＤなどの表示部３４を制御して、図７（ａ）に示すように、誤載置された無線子機４０Ａと対となる親機３０Ａとしてここでは「電話機１０」を表示する（ステップ１３４）。
また、親機３０Ａの親機制御部３９では、主装置１０側から内線Ｉ／Ｆ部３１を介して移動先情報を含む誤載置通知を受信し、ＬＣＤなどの表示部３４を制御して、図７（ｂ）に示すように、誤載置された無線子機４０Ａの移動先となる親機３０Ｂとしてここでは「電話機１１」を表示する（ステップ１３５）。
【００４０】
このように、誤載置された無線子機の移動元／移動先を当該親機で表示するようにしたので、利用者による誤載置の回復作業負担を軽減できる。
さらに、親機３０Ａの親機制御部３９では、無線Ｉ／Ｆ部３２から無線回線を介して無線子機４０Ａへ誤載置を通知し、無線子機４０Ａの無線子機制御部４９では、無線Ｉ／Ｆ部４１を介してその誤載置を受信し、ＬＣＤなどの表示部４７を制御して、図７（ｃ）に示すように、当該無線子機４０Ａが誤載置されていることを表示する（ステップ１３６）。この際、主装置１０から親機３０Ａを介して受け取った移動元情報を無線子機４０Ａで表示するようにしてもよい。
なお、親機や無線子機での誤載置表示については、ＬＣＤによる文字表示のほか、ＬＥＤの点滅で表示してもよく所定の警報音を送出してもよい。
【００４１】
以上では、無線子機４０の誤載置について説明したが、無線子機４０がいずれの親機３０にも載置されずオンフック状態となる場合もある。例えば、利用者が無線子機４０の終話ボタンを操作して終話し、その無線子機４０を親機３０へ載置せず、テーブルなどの放置する場合もある。このような場合、無線子機４０の終話ボタン操作に応じて、当該無線子機４０と対となる親機３０へオンフックが通知され、これが子機オンフック通知として当該親機３０から主装置１０の制御部１５へ通知される。
このとき、無線子機４０は、いずれの親機３０にも載置されていないことから、載置された側の親機３０からは、載置あり検出通知が通知されない。
【００４２】
したがって、主装置１０の制御部１５では、子機オンフック通知だけが受信され、所定時間差以内に載置あり検出通知は受信されない。このような状況を利用して、制御部１５において、子機オンフック通知だけが受信され、その受信から所定時間差以内に載置あり検出通知が受信されない場合には、子機オンフック通知の通知元親機と対となる無線子機が、親機に載置されず放置状態にあると判断するようにしてもよい。
これにより、放置された無線子機を主装置で把握でき、その親機および当該無線子機へ放置状態を通知し、親機への載置を利用者へ報知することができる。
【００４３】
なお、以上では、内線電話機として無線電話機２０Ａ〜２０Ｎが主装置１０に接続されている場合を例として説明したが、これら無線電話機以外に一般的な内線電話機が接続されている電話システムにも、上記と同様にして、本発明を実施することができる。
また、電話回線１１としては、アナログ電話回線に限定されるものではなく、ＩＳＤＮ回線のほか、ＶｏＩＰ回線を外線Ｉ／Ｆ部１２で終端接続する電話システムであってもよい。
【００４４】
【発明の効果】
以上説明したように、本発明は、無線子機に、親機への載置をオンフック状態として検出する状態検出部と、この状態検出部でのオンフック状態の検出に応じて親機へ無線回線を介してオンフック検出を通知する無線子機制御部とを設け、親機に、無線子機の載置を検出する載置検出部と、この載置検出部での載置検出に応じて主装置へ内線伝送路を介して載置あり検出を通知するとともに、無線回線を介した無線子機からのオンフック検出の通知に応じて主装置へ内線伝送路を介して子機オンフックを通知する親機制御部とを設け、主装置で、内線伝送路を介して載置あり検出通知および子機オンフック通知を受信した際、これら通知の通知元を比較し、その一致／不一致に応じて無線子機が対となる親機へ載置されているかどうかを判断するようにしたので、従来のように親機と無線子機との間でシステムＩＤを有線でデータ通信する必要がなくなり、従来と比較して親機および無線子機の構成を複雑化させることもない。
したがって、既存の親機に載置検出部を設けるとともに、既存の親機、無線子機および主装置のプログラムを変更するという若干の変更だけで、親機に対する無線子機の正常載置／誤載置を把握できる。
【図面の簡単な説明】
【図１】本発明の一実施の形態にかかる電話システムの構成を示すブロック図である。
【図２】親機の構成を示すブロック図である。
【図３】無線子機の構成を示すブロック図である。
【図４】無線子機管理情報の構成例である。
【図５】本実施の形態にかかる電話システムの動作（正常載置）を示すシーケンス図である。
【図６】本実施の形態にかかる電話システムの動作（誤載置）を示すシーケンス図である。
【図７】誤載置の表示例である。
【図８】従来の電話システムの動作（誤載置）を示すシーケンス図である。
【図９】従来の載置検出方法を示すシーケンス図である。
【符号の説明】
１０…主装置、１１…電話回線、１２…外線Ｉ／Ｆ部、１３…内線Ｉ／Ｆ部、１４…スイッチ、１５…制御部、１６…記憶部、１６Ａ…無線子機管理情報、１７…内線伝送路、２０，２０Ａ，２０Ｂ，〜，２０Ｎ…無線電話機、３０，３０Ａ，３０Ｂ，〜，３０Ｎ…親機、３１…内線Ｉ／Ｆ部、３２…無線Ｉ／Ｆ部、３３…音声処理部、３４…表示部、３５…キー入力部、３６…記憶部、３７…給電部、３７Ａ…充電端子、３８…載置検出部、３９…親機制御部、４０，４０Ａ，４０Ｂ，〜，４０Ｎ…無線子機、４１…無線Ｉ／Ｆ部、４２…音声処理部、４３…電池、４４…充電部、４４Ａ…充電端子、４５…状態検出部、４６…記憶部、４７…表示部、４８…キー入力部、４９…無線子機制御部。
【図１】
2004253861.tif 000003
【図２】
2004253861.tif 000004
【図３】
2004253861.tif 000005
【図４】
2004253861.tif 000006
【図５】
2004253861.tif 000007
【図６】
2004253861.tif 000008
【図７】
2004253861.tif 000009
【図８】
2004253861.tif 000010
【図９】
2004253861.tif 000011